【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
上蓋と、
前記上蓋との嵌合により格納チャンバーが囲まれるように形成され、前記格納チャンバーのチャンバー壁には抽気孔と排気孔とが開設されている下蓋であって、且つ下部には接続部が設置されている下蓋と、
前記格納チャンバー内に位置し、前記上蓋及び／又は下蓋と接続されている取付ブラケットと、
前記取付ブラケットに接続され、吸気口が前記抽気孔に連通し、吹出口が前記排気孔に連通している真空ポンプと、
前記取付ブラケットに接続され、且つ前記真空ポンプに電気的に接続されている制御電気回路基板と、
前記格納チャンバー内に位置し且つ前記制御電気回路基板と電気的に接続されている給電モジュールとを含むことを特徴とする真空引き装置。
【請求項２】
前記取付ブラケットが前記格納チャンバーを区切って上チャンバー室及び下チャンバー室として形成し、前記真空ポンプは前記下チャンバー室内に位置し且つ前記下蓋と前記取付ブラケットとに挟持されて固定され、前記制御電気回路基板と前記給電モジュールとは前記上チャンバー室内に位置し、及び／又は、前記取付ブラケットは前記上蓋及び／又は下蓋に取り外し可能に接続されており、
前記取付ブラケットの前記上蓋へ向かう側には第一取付構造が設置され、前記上蓋には第一ロッキング構造が設置され、前記取付ブラケットは第一取付構造と前記第一ロッキング構造との嵌合によって前記上蓋に取り外し可能に接続されており、前記取付ブラケットの前記下蓋へ向かう側には第二取付構造が設置され、前記下蓋には第二ロッキング構造が設置され、前記取付ブラケットは第二取付構造と前記第二ロッキング構造との嵌合によって前記下蓋に取り外し可能に接続されており、
前記取付ブラケットは基板を含み、前記第一取付構造は基板の前記上蓋へ向かう側に凸出して設置されている複数の第一留め具を含み、前記第一ロッキング構造は前記上蓋の内壁面に形成されている複数の第一係合溝を含み、一つの前記第一留め具は一つの前記第一係合溝内に係合される、
請求項１に記載の真空引き装置。
【請求項３】
前記第一取付構造は前記基板の前記上蓋へ向かう側に凸出して設置されている第一接続柱をさらに含み、前記第一接続柱内には第一接続孔が設けられ、前記第一ロッキング構造は前記上蓋に開設されている第一ロッキング孔をさらに含み、前記第一接続孔は接続具の嵌合によって前記第一ロッキング孔に接続されており、
前記第二取付構造は基板の前記下蓋へ向かう側に凸出して設置されている複数の第二留め具を含み、前記第二ロッキング構造は前記下蓋の内壁面に形成されている複数の第二係合溝を含み、一つの前記第二留め具は一つの前記第二係合溝内に係合され、
前記第二取付構造は前記基板の前記下蓋へ向かう側に凸出して設置されている接続筒をさらに含み、前記基板には前記接続筒に連通している第二ロッキング孔が設けられ、前記第二ロッキング構造は前記下蓋の内壁面に凸出して設置されている第二接続柱をさらに含み、前記第二接続柱内には第二接続孔が設けられ、前記第二接続孔は接続具の嵌合によって前記第二ロッキング孔に接続されている、
請求項２に記載の真空引き装置。
【請求項４】
前記下蓋に前記抽気孔が開設されており、前記上蓋或いは前記下蓋に前記排気孔が開設されており、
前記下蓋にはさらに圧力逃がし孔が開設され、前記格納チャンバー内にはさらに圧力逃がしスイッチ組立体が設置され、前記上蓋或いは下蓋には吸気孔が設置され、前記圧力逃がしスイッチ組立体は前記取付ブラケットに固定接続され且つ前記圧力逃がし孔と吸気孔とを連通させる、
請求項１に記載の真空引き装置。
【請求項５】
前記真空ポンプの吸気口と前記抽気孔との間には抽気孔から吸気口へ向かう方向に通ずる一方向弁がさらに接続されている、
請求項１に記載の真空引き装置。
【請求項６】
前記真空引き装置はシールリングをさらに含み、前記シールリングは真空引きされる容器に覆い被さって密封接続するために用いられ、前記シールリングは前記下蓋と接続され、且つ前記抽気孔を囲んで設置されており、
前記接続部は下蓋の前記上蓋から離れた表面に凸出して設置されている接続リングであり、前記接続リングは前記抽気孔の外周を囲み、前記シールリングは前記接続リングの外部に外嵌され、或いは、前記下蓋の前記上蓋から離れた表面には環状係着溝が凹んで設置され、前記環状係着溝は前記抽気孔の外周を囲み、前記シールリングは前記環状係着溝内に嵌設されている、
請求項１に記載の真空引き装置。
【請求項７】
前記下蓋の外壁にはさらに隔離緩衝保存チャンバーが形成されており、前記隔離緩衝保存チャンバーは前記抽気孔と真空引きされる容器とを連通させ、前記隔離緩衝保存チャンバーは前記下蓋の底部に位置し、
前記下蓋の前記上蓋から離れた表面且つ接続部内に溝部が形成されており、前記抽気孔は前記溝部の底壁に開設され、前記下蓋にはさらに一つの蓋板が取り外し可能に接続され、前記蓋板は前記溝部の開口をカバーして前記隔離緩衝保存チャンバーを形成し、前記蓋板上には前記隔離緩衝保存チャンバーに連通する篩孔が開設されており、
前記篩孔は細長い形状をしており、前記篩孔の幅寸法をＢと定義し、０ｍｍ＜Ｂ≦０．８ｍｍであり、
前記蓋板と前記溝部の底壁との間の間隔をＬとし、１ｍｍ＜Ｌ≦１０ｍｍである、
請求項１に記載の真空引き装置。
【請求項８】
攪拌カップ組立体を含む食品調理機であって、前記攪拌カップ組立体はカップ本体と前記カップ本体の上端に覆い被さるカップ蓋を含み、前記カップ蓋には前記カップ本体の内チャンバーと連通する開口が開設され、前記食品調理機は真空引き装置をさらに含み、前記真空引き装置は前記カップ蓋に取り外し可能に取り付けられ、前記真空引き装置は、
上蓋と、
前記上蓋との嵌合により格納チャンバーが囲まれるように形成され、前記格納チャンバーのチャンバー壁には抽気孔と排気孔とが開設されている下蓋であって、且つ下部には接続部が設置されている下蓋と、
前記格納チャンバー内に位置し、前記上蓋及び／又は下蓋と接続されている取付ブラケットと、
前記取付ブラケットに接続され、吸気口が前記抽気孔に連通し、吹出口が前記排気孔に連通している真空ポンプと、
前記取付ブラケットに接続され、且つ前記真空ポンプに電気的に接続されている制御電気回路基板と、
前記格納チャンバー内に位置し且つ前記制御電気回路基板と電気的に接続されている給電モジュールとを含み、前記接続部は前記開口によって前記カップ本体の内チャンバーに連通している食品調理機。
【請求項９】
前記下蓋の前記上蓋から離れた表面且つ接続部内に溝部が形成されており、前記抽気孔は前記溝部の底壁に開設され、前記下蓋にはさらに一つの蓋板が取り外し可能に接続され、前記蓋板は前記溝部の開口をカバーして前記隔離緩衝保存チャンバーを形成し、前記蓋板上には前記隔離緩衝保存チャンバーに連通する篩孔が開設されており、
前記真空引き装置はシールリングをさらに含み、前記シールリングは真空引きされる容器に覆い被さって密封接続するために用いられ、前記シールリングは前記接続部と接続され、且つ前記抽気孔を囲んで設置されており、前記開口の面積をＳ１、前記下蓋上の前記シールリングを取り付けるための接続リングで囲んだ面積をＳ２、前記シールリングで囲んだ面積をＳ３として定義し、Ｓ２＜Ｓ１＜Ｓ３であり、
前記カップ蓋には凹溝が形成されており、前記開口は前記凹溝の底部に開設され、前記シールリングの周縁は前記凹溝の溝壁と当接されている、
請求項８に記載の食品調理機。
【手続補正２】
【補正対象書類名】明細書
【補正対象項目名】０００６
【補正方法】変更
【補正の内容】
【０００６】
好ましくは、前記取付ブラケットが前記格納チャンバーを区切って上チャンバー室及び下チャンバー室として形成し、前記真空ポンプは前記下チャンバー室内に位置し且つ前記下蓋と前記取付ブラケットとに挟持されて固定され、前記制御電気回路基板と前記給電モジュールとは前記上チャンバー室内に位置し、及び／又は、前記取付ブラケットは前記上蓋及び／又は下蓋に取り外し可能に接続されており、前記取付ブラケットの前記上蓋へ向かう側には第一取付構造が設置され、前記上蓋には第一ロッキング構造が設置され、前記取付ブラケットは第一取付構造と前記第一ロッキング構造との嵌合によって前記上蓋に取り外し可能に接続されており、前記取付ブラケットの前記下蓋へ向かう側には第二取付構造が設置され、前記下蓋には第二ロッキング構造が設置され、前記取付ブラケットは第二取付構造と前記第二ロッキング構造との嵌合によって前記下蓋に取り外し可能に接続されており、前記取付ブラケットは基板を含み、前記第一取付構造は基板の前記上蓋へ向かう側に凸出して設置されている複数の第一留め具を含み、前記第一ロッキング構造は前記上蓋の内壁面に形成されている複数の第一係合溝を含み、一つの前記第一留め具は一つの前記第一係合溝内に係合される。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
好ましくは、前記第一取付構造は前記基板の前記上蓋へ向かう側に凸出して設置されている第一接続柱をさらに含み、前記第一接続柱内には第一接続孔が設けられ、前記第一ロッキング構造は前記上蓋に開設されている第一ロッキング孔をさらに含み、前記第一接続孔は接続具の嵌合によって前記第一ロッキング孔に接続されており、前記第二取付構造は基板の前記下蓋へ向かう側に凸出して設置されている複数の第二留め具を含み、前記第二ロッキング構造は前記下蓋の内壁面に形成されている複数の第二係合溝を含み、一つの前記第二留め具は一つの前記第二係合溝内に係合され、前記第二取付構造は前記基板の前記下蓋へ向かう側に凸出して設置されている接続筒をさらに含み、前記基板には前記接続筒に連通している第二ロッキング孔が設けられ、前記第二ロッキング構造は前記下蓋の内壁面に凸出して設置されている第二接続柱をさらに含み、前記第二接続柱内には第二接続孔が設けられ、前記第二接続孔は接続具の嵌合によって前記第二ロッキング孔に接続されている。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
好ましくは、前記下蓋に前記抽気孔が開設されており、前記上蓋或いは前記下蓋に前記排気孔が開設されており、前記下蓋にはさらに圧力逃がし孔が開設され、前記格納チャンバー内にはさらに圧力逃がしスイッチ組立体が設置され、前記上蓋或いは下蓋には吸気孔が設置され、前記圧力逃がしスイッチ組立体は前記取付ブラケットに固定接続され且つ前記圧力逃がし孔と吸気孔とを連通させる。
【手続補正９】
【補正対象書類名】明細書
【補正対象項目名】００１３
【補正方法】削除
【補正の内容】
【手続補正１０】
【補正対象書類名】明細書
【補正対象項目名】００１５
【補正方法】変更
【補正の内容】
【００１５】
好ましくは、前記真空引き装置はシールリングをさらに含み、前記シールリングは真空引きされる容器に覆い被さって密封接続するために用いられ、前記シールリングは前記下蓋と接続され、且つ前記抽気孔を囲んで設置されており、前記接続部は下蓋の前記上蓋から離れた表面に凸出して設置されている接続リングであり、前記接続リングは前記抽気孔の外周を囲み、前記シールリングは前記接続リングの外部に外嵌され、或いは、前記下蓋の前記上蓋から離れた表面には環状係着溝が凹んで設置され、前記環状係着溝は前記抽気孔の外周を囲み、前記シールリングは前記環状係着溝内に嵌設されている。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
好ましくは、前記下蓋の外壁にはさらに隔離緩衝保存チャンバーが形成されており、前記隔離緩衝保存チャンバーは前記抽気孔と真空引きされる容器とを連通させ、前記隔離緩衝保存チャンバーは前記下蓋の底部に位置し、前記下蓋の前記上蓋から離れた表面且つ接続部内に溝部が形成されており、前記抽気孔は前記溝部の底壁に開設され、前記下蓋にはさらに一つの蓋板が取り外し可能に接続され、前記蓋板は前記溝部の開口をカバーして前記隔離緩衝保存チャンバーを形成し、前記蓋板上には前記隔離緩衝保存チャンバーに連通する篩孔が開設されており、前記篩孔は細長い形状をしており、前記篩孔の幅寸法をＢと定義し、０ｍｍ＜Ｂ≦０．８ｍｍであり、前記蓋板と前記溝部の底壁との間の間隔をＬとし、１ｍｍ＜Ｌ≦１０ｍｍである。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２２
【補正方法】変更
【補正の内容】
【００２２】
好ましくは、前記下蓋の前記上蓋から離れた表面且つ接続部内に溝部が形成されており、前記抽気孔は前記溝部の底壁に開設され、前記下蓋にはさらに一つの蓋板が取り外し可能に接続され、前記蓋板は前記溝部の開口をカバーして前記隔離緩衝保存チャンバーを形成し、前記蓋板上には前記隔離緩衝保存チャンバーに連通する篩孔が開設されており、前記真空引き装置はシールリングをさらに含み、前記シールリングは真空引きされる容器に覆い被さって密封接続するために用いられ、前記シールリングは前記接続部と接続され、且つ前記抽気孔を囲んで設置されており、前記開口の面積をＳ１、前記下蓋上の前記シールリングを取り付けるための接続リングで囲んだ面積をＳ２、前記シールリングで囲んだ面積をＳ３として定義し、Ｓ２＜Ｓ１＜Ｓ３であり、前記カップ蓋には凹溝が形成されており、前記開口は前記凹溝の底部に開設され、前記シールリングの周縁は前記凹溝の溝壁と当接されている。
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】